(57)【特許請求の範囲】
【請求項１】
無線基地局から送信される制御チャネル上の報知情報に含まれる周辺局スクランブルコードを記憶する第１の記憶手段と、該第１の記憶手段に記憶された前記周辺局スクランブルコードを使用して共通パイロット信号を逆拡散し、フレームタイミングを検出する検出手段とを備え、前記検出手段は、前記第１の記憶手段に記憶された前記周辺局スクランブルコードから、既に前記フレームタイミングを検出した前記周辺局スクランブルコードを除いて使用することを特徴とするＣＤＭＡ方式の無線移動機。
【請求項２】
無線基地局から送信される制御チャネル上の報知情報に含まれる周辺局スクランブルコードを記憶する第１の記憶手段と、該第１の記憶手段に記憶された前記周辺局スクランブルコードを使用して共通パイロット信号を逆拡散し、フレームタイミングを検出する検出手段と、新たな報知情報により報知された前記周辺局スクランブルコードを記憶する第２の記憶手段とを備え、前記検出手段は、前記第１の記憶手段に記憶された前記周辺局スクランブルコードと、前記第２の記憶手段に記憶された前記周辺局スクランブルコードとを比較して検出される、新規に与えられた前記周辺局スクランブルコードを優先して使用することを特徴とするＣＤＭＡ方式の無線移動機。
【請求項３】
前記検出手段による前記フレームタイミングの検出を連続して実行した回数を計測する計測手段を備え、前記検出手段は、前記回数が予め定められたしきい値を超えた場合に、複数のスクランブルコードから成るスクランブルコードグループを特定するための拡散符号系列を選択して使用することを特徴とする請求項１または２に記載のＣＤＭＡ方式の無線移動機。
【請求項４】
無線基地局から送信される制御チャネル上の報知情報に含まれる周辺局スクランブルコードを記憶する第１の記憶ステップと、該第１の記憶ステップにおいて記憶した前記周辺局スクランブルコードを使用して共通パイロット信号を逆拡散し、フレームタイミングを検出する検出ステップとを備え、前記検出ステップは、前記第１の記憶ステップにおいて記憶された前記周辺局スクランブルコードから、既に前記フレームタイミングを測定した前記周辺局スクランブルコードを除いて使用することを特徴とするＣＤＭＡ方式の無線移動機のセルサーチ方法。
【請求項５】
無線基地局から送信される制御チャネル上の報知情報に含まれる周辺局スクランブルコードを記憶する第１の記憶ステップと、該第１の記憶ステップにおいて記憶した前記周辺局スクランブルコードを使用して共通パイロット信号を逆拡散し、フレームタイミングを検出する検出ステップと、新たな前記報知情報により報知された前記周辺局スクランブルコードを記憶する第２の記憶ステップとを備え、前記検出ステップは、前記第１の記憶ステップにおいて記憶した前記周辺局スクランブルコードと、前記第２の記憶ステップにおいて記憶した前記周辺局スクランブルコードとを比較して検出される、新規に与えられた前記周辺局スクランブルコードを優先して使用することを特徴とする無線移動機のセルサーチ方法。
【請求項６】
前記検出ステップを連続して実行した回数を計測する計測ステップを備え、前記検出ステップは、前記回数と予め定められたしきい値とを比較し、前記回数が前記しきい値を超えていた場合に、複数のスクランブルコードから成るスクランブルコードグループを特定するための拡散符号系列を選択して使用することを特徴とする請求項４または５に記載のＣＤＭＡ方式の無線移動機のセルサーチ方法。
【発明の詳細な説明】
【０００１】
【発明の属する技術分野】
本発明は、Ｗ−ＣＤＭＡ方式の無線移動機およびそのセルサーチ方法に関し、特に、コード逆拡散処理の実行回数を低減することにより消費電流を低減し、待受時間を向上するＷ−ＣＤＭＡ方式の無線移動機およびそのセルサーチ方法に関する。
【０００２】
【従来の技術】
図１は、ＣＤＭＡ方式の無線移動機における従来のセルサーチ方法を示すフローチャートである。また、図２は、従来のセルサーチの手順における検出過程を説明するための図である。以下、図１及び図２を参照し、従来のセルサーチについて説明する。
【０００３】
ＣＤＭＡ方式の無線移動機によるセルサーチは、３段階に分けたサーチ法が一般に使用される。まず、第１段階において、ＣＤＭＡ方式の無線移動機は、Ｐ−ＳＣＨ（Primary-Synchronization CHannel）信号を用いてスロットタイミングを検出する。Ｐ−ＳＣＨは各スロットの先頭に配置されており、かつその拡散符号（Primary Synchronization Code；ＰＳＣ）は、全セルで共通である。従って、ＣＤＭＡ方式の無線移動機は、受信信号をこの拡散符号に対応したマッチトフィルタに入力することによって、図２（ａ）に示すようにスロットタイミングを検出する（ステップＳ１０１）。
【０００４】
次に、第２段階では、Ｓ−ＳＣＨ（Secondary-Synchronization CHannel）を使用して、フレームタイミング、及びスクランブルコードグループの検出を行う。Ｓ−ＳＣＨは、各スロットの先頭に配置されており、拡散符号は１５スロット（１フレーム）を周期とする６４種類の異なる拡散符号(Secondary Synchronsation Code；ＳＳＣ)系列が用いられる。この６４種類の拡散符号系列には、それぞれ８つのスクランブルコードから構成されるスクランブルコードグループが対応付けられており、後に行うスクランブルコードの検出を容易にしている。
【０００５】
このため、ＣＤＭＡ方式の無線移動機は、図２（ｂ）に示すように、前記第１段階で検出されたスロットタイミングに基づくすべてのフレームタイミングにおいてすべての前記拡散符号(ＳＳＣ)系列で逆拡散を行うことによってフレームタイミング及び、スクランブルコードグループを検出する（ステップＳ１０３）。
【０００６】
そして、第３段階では、セル毎に異なるスクランブルコードがかけられている共通パイロットチャネル（Common PIlot CHannel；ＣＰＩＣＨ）を用いてスクランブルコードの特定を行う。ＣＤＭＡ方式の無線移動機は、第２段階で検出したフレームタイミングに基づいて、図２（ｃ）に示すように、第２段階で検出したスクランブルコードグループに属する全てのスクランブルコードで逆拡散を行うことにより、スクランブルコードを検出する（ステップＳ１０５）。
【０００７】
そして、各動作においてタイミング又はコードが検出されたか否かを判断し（ステップＳ１０７）、検出できたと判断された場合には、第３段階で検出したスクランブルコードを使用して、ＢＣＣＨ（Broadcast Control CHannel）信号を逆拡散する（ステップＳ１０９）。ＢＣＣＨ情報のデコードが成功すると、ＣＤＭＡ方式の無線移動機は圏内待受状態になる。ＢＣＣＨ情報には、周辺局のスクランブルコードが含まれる。以下、このスクランブルコードを、「周辺局スクランブルコード」という。
【０００８】
ステップＳ１０７において、各動作においてタイミングまたはコードの検出ができないと判断された場合は、ＢＣＣＨ情報のデコードに成功するまで第１段階からの処理を間欠的に繰り返す。なお、このときＣＤＭＡ方式の無線移動機は圏外状態になる。
【０００９】
また、圏内待受時においても、同期制御を行うため、周期的もしくは必要に応じて３段階セルサーチを行う。
【００１０】
このように、従来のＣＤＭＡ方式の無線移動機は、３段階セルサーチ実行時において、相当量のコード逆拡散を行っていた。
【００１１】
【発明が解決しようとする課題】
しかしながら、上述のように相当量のコード逆拡散を行う場合、コード逆拡散処理の実行時における消費電流が大きいため、ＣＤＭＡ方式の無線移動機の待受時間が短くなるという問題があった。
【００１２】
また、圏外待受状態においても通信キャリアを検出するために、コード逆拡散を間欠的に行う必要があり、ＣＤＭＡ方式の無線移動機が長時間圏外に存在する場合、待受時間が短くなってしまうという問題があった。
【００１３】
さらに、従来の３段階セルサーチ方では、圏外待受時の待受時間を向上するため、圏外待受時におけるセルサーチの実行間隔、すなわち実行周期を長くする必要があった。従って、ＣＤＭＡ方式の無線移動機が圏外から圏内に移動した際に、その無線移動機が圏内に存在することを認識するまでの時間が増大するという問題があった。
【００１４】
本発明は、このような問題を解決するためになされたものであり、その目的とするところは、コード逆拡散処理の実行回数を低減することにより、ＣＤＭＡ方式の無線移動機の消費電流を低減し、待受時間を向上させるＣＤＭＡ方式の無線移動機およびそのセルサーチ方法を提供することにある。
【００１５】
【課題を解決するための手段】
本発明は、上記目的を達成するために、請求項１に記載の発明は、無線基地局から送信される制御チャネル上の報知情報に含まれる周辺局スクランブルコードを記憶する第１の記憶手段と、該第１の記憶手段に記憶された前記周辺局スクランブルコードを使用して共通パイロット信号を逆拡散し、フレームタイミングを検出する検出手段とを備え、前記検出手段は、前記第１の記憶手段に記憶された前記周辺局スクランブルコードから、既に前記フレームタイミングを検出した前記周辺局スクランブルコードを除いて使用することを特徴とする。
【００１８】
従って、周辺スクランブルコードから、無線移動局が在圏しているセクタのスクランブルコードと、既にフレームタイミングを検出しているセクタのスクランブルコードを除外してセルサーチを行うことにより、逆拡散を行うスクランブルコード数を低減できる。
【００１９】
また、請求項２に記載の発明は、無線基地局から送信される制御チャネル上の報知情報に含まれる周辺局スクランブルコードを記憶する第１の記憶手段と、該第１の記憶手段に記憶された前記周辺局スクランブルコードを使用して共通パイロット信号を逆拡散し、フレームタイミングを検出する検出手段と、新たな報知情報により報知された前記周辺局スクランブルコードを記憶する第２の記憶手段とを備え、前記検出手段は、前記第１の記憶手段に記憶された前記周辺局スクランブルコードと、前記第２の記憶手段に記憶された前記周辺局スクランブルコードとを比較して検出される、新規に与えられた前記周辺局スクランブルコードを優先して使用することを特徴とする。
【００２０】
従って、次回にセルサーチにおいて、選択されたスクランブルコードを優先して使用することにより、高速移動時であっても移動先セクタを短時間で検出することが可能となる。結果として、セルサーチ実行時間を低減できる。
【００２１】
また、請求項３に記載の発明は、請求項１または２に記載のＣＤＭＡ方式の無線移動機において、前記検出手段による前記フレームタイミングの検出を連続して実行した回数を計測する計測手段を備え、前記検出手段は、前記回数が予め定められたしきい値を超えた場合に、複数のスクランブルコードから成るスクランブルコードグループを特定するための拡散符号系列を選択して使用することを特徴とする。
【００２２】
本発明によれば、無線移動局が圏外から圏内に移動したときに、無線移動機内部に記憶されている周辺局スクランブルコードを使用せずに従来のセルサーチを行うことにより、無線移動機が圏内に存在していることを認識出来ることとなる。
【００２３】
また、請求項４に記載の発明は、ＣＤＭＡ方式の無線移動機のセルサーチ方法であって、無線基地局から送信される制御チャネル上の報知情報に含まれる周辺局スクランブルコードを記憶する第１の記憶ステップと、該第１の記憶ステップにおいて記憶した前記周辺局スクランブルコードを使用して共通パイロット信号を逆拡散し、フレームタイミングを検出する検出ステップとを備え、前記検出ステップは、前記第１の記憶ステップにおいて記憶された前記周辺局スクランブルコードから、既に前記フレームタイミングを測定した前記周辺局スクランブルコードを除いて使用することを特徴とする。
【００２５】
また、請求項５に記載の発明は、無線基地局から送信される制御チャネル上の報知情報に含まれる周辺局スクランブルコードを記憶する第１の記憶ステップと、該第１の記憶ステップにおいて記憶した前記周辺局スクランブルコードを使用して共通パイロット信号を逆拡散し、フレームタイミングを検出する検出ステップと、新たな前記報知情報により報知された前記周辺局スクランブルコードを記憶する第２の記憶ステップとを備え、前記検出ステップは、前記第１の記憶ステップにおいて記憶した前記周辺局スクランブルコードと、前記第２の記憶ステップにおいて記憶した前記周辺局スクランブルコードとを比較して検出される、新規に与えられた前記周辺局スクランブルコードを優先して使用することを特徴とする。
【００２６】
さらに、請求項６に記載の発明は、請求項４または５に記載のＣＤＭＡ方式の無線移動機のセルサーチ方法において、前記検出ステップを連続して実行した回数を計測する計測ステップを備え、前記検出ステップは、前記回数と予め定められたしきい値とを比較し、前記回数が前記しきい値を超えていた場合に、複数のスクランブルコードから成るスクランブルコードグループを特定するための拡散符号系列を選択して使用することを特徴とする。
【００２８】
【発明の実施の形態】
以下に、図面を参照し、本発明の実施の形態について詳細に説明する。なお、本発明は、図１に示す３段階フローを完了し、ＢＣＣＨ情報より得られた周辺局スクランブルコードを、ＣＤＭＡ方式の無線移動機の記憶装置に予め記憶していることを前提としている。
【００２９】
（第１実施形態）
図３は、本発明の一実施形態に係るセルサーチ手順を示すフローチャートである。また、図４は、本発明のセルサーチ手順における検出過程を説明するための図である。
【００３０】
第１段階では、ＣＤＭＡ方式の無線移動機は、図４（ａ）に示すように、ＰＳＣを使用してＰ−ＳＣＨ信号を逆拡散し、スロットタイミングを検出する（ステップＳ３０１）。Ｐ−ＳＣＨは各スロットの先頭に配置されており、かつその拡散符号は全セルで共通である。従って、本発明のＣＤＭＡ方式の無線移動機は、受信信号をこの拡散符号に対応したマッチトフィルタに入力することにより、スロットタイミングを検出する。
【００３１】
続いて第２段階に移行し、図４（ｂ）に示すように、１５個のフレームタイミング候補に対して周辺局スクランブルコードを使用してＣＰＩＣＨを逆拡散し、フレームタイミングの検出を行う（ステップＳ３０３）。本発明のＣＤＭＡ方式の無線移動機は、第１段階で検出されたスロットタイミングに基づく全てのフレームタイミングにおいて、基地局から送信される報知チャネル上の報知情報により報知された周辺局スクランブルコードを使用して、共通パイロットチャネル（ＣＰＩＣＨ）の逆拡散を行うことにより、フレームタイミングを検出する。
【００３２】
以上の第１段階及び第２段階の処理は、スロットタイミングおよびフレームタイミングの検出が成功するまで繰り返される（ステップＳ３０５）。
【００３３】
図５は、本実施形態を具体的に説明するための図である。図５に示すように、弱電界エリア５０３に静止するＣＤＭＡ方式の無線移動機は、無線移動機が存在しているセル内の基地局から送信されるＣＰＣＩＨのレベル、すなわち自局レベルがしきい値以下となり、セクタからセクタへの移行、すなわちゾーン移行における移行先を検出するためにセルサーチを行う。
【００３４】
図６は本実施形態に係るセルサーチ手順を示すフローチャートである。自局レベルとしきい値を比較し（ステップＳ６０１）、自局レベルがしきい値以下の場合には、本実施形態に係るセルサーチを行う（ステップＳ６０３）。そして、ゾーン移行判定基準を満たすか否かを判定し（ステップＳ６０５）、周辺局レベルが予め定められたゾーン移行判定基準を満足する場合は、検出したキャリアのＢＣＣＨをデコードし、報知情報を参照する（ステップＳ６０７）。周辺局レベルが予め定められたゾーン移行判定基準を満足しない場合は、ゾーン移行先を検出できない。この場合は、セルサーチを間欠的に繰り返し実行することになる。
【００３５】
このような状態において、逆拡散を行うスクランブルコード数を低減することにより、ＣＤＭＡ方式の無線移動機の動作時間を短縮でき、待受時間を向上させることができる。
【００３６】
（第２実施形態）
図７は、本発明の他の実施形態を具体的に説明するための図である。例えば、ＢＣＣＨにより報知される周辺局スクランブルコードの数、および自局のスクランブルコードの数を合わせて６であり、在圏セクタが無線基地局７０１のセル内のセクタ＃０であるＣＤＭＡ方式の無線移動機７０９に与えられる周辺局スクランブルコードおよび自局のスクランブルコードは、セクタ＃０、セクタ＃１、セクタ＃５、セクタ＃９、セクタ＃１６、セクタ＃１９のスクランブルコードであるとする。また、セクタ＃１及びセクタ＃５はフレームタイミングが既に検出されていると仮定したとき、セルサーチによりフレームタイミングを検出すべきセクタは、セクタ＃９、セクタ＃１６、セクタ＃１９である。
【００３７】
このような状態でセルサーチを実行する場合、ＣＤＭＡ方式の無線移動機は、フレームタイミングが未知のセクタに対してのみセルサーチを実行し、同期処理を行う。
【００３８】
図８は、本実施形態に係るセルサーチ手順を示すフローチャートである。はじめに、ＣＤＭＡ方式の無線移動機は、ＰＳＣを使用してＰ−ＳＣＨ信号を逆拡散し、スロットタイミングを検出する（ステップＳ８０１）。次に、フレームタイミングが既知でない周辺局スクランブルコードを、報知情報に基づいて移動機内部に記憶されているスクランブルコードから選択する（ステップＳ８０３）。選択処理は、具体的には、周辺局スクランブルコードから、ＣＤＭＡ方式の無線移動機が在圏するセルのスクランブルコードと、既に測定を完了してフレームタイミングを検出した周辺局スクランブルコードとを除くことにより行われる。検出したスロットタイミングに基づいたすべてのフレームタイミングにおいて、選択した周辺局スクランブルコードを使用して、ＣＰＩＣＨを逆拡散する（ステップＳ８０５）。
【００３９】
そして、キャリアの検出に成功したか否かを判定し（ステップＳ８０７）、キャリアが検出できた場合は、フレームタイミング、及びフレームタイミングを検出できた周辺局スクランブルコードが確定できる（ステップＳ８０９）。
【００４０】
このように、在圏セクタ、及び既にフレームタイミングを検出しているセクタを除外してセルサーチを行うことにより、逆拡散を行うスクランブルコード数をさらに低減できる。結果として、ＣＤＭＡ方式の無線移動機の動作時間を低減し、待受時間を向上させることができる。
【００４１】
（第３実施形態）
図９は、本発明の他の実施形態を説明するための図である。例えば、ＢＣＣＨにより報知される周辺局スクランブルコードの数、および自局のスクランブルコードの数を合わせて６であるとして、在圏セクタが無線基地局９０１のセル内のセクタ＃０であるＣＤＭＡ方式の無線移動機に与えられる周辺局スクランブルコードは、セクタ＃０、セクタ＃１、セクタ＃５、セクタ＃９、セクタ＃１６、セクタ＃１９のスクランブルコードであると仮定する。また、セクタ＃９に移動したＣＤＭＡ方式の無線移動機が記憶している周辺局スクランブルコードおよび自局のスクランブルコードは、セクタ＃０、セクタ＃８、セクタ＃９、セクタ＃１０、セクタ＃１６、セクタ＃１９のスクランブルコードであると仮定する。
【００４２】
図１０は、本実施形態に係るセルサーチにおいて行われるスクランブルコードの選択を説明するための図である。ＣＤＭＡ方式の無線移動機の移動後に更新された周辺局スクランブルコードのうち、新規に加えられた周辺局スクランブルコードは、セクタ＃８及びセクタ＃１０のスクランブルコードである。
【００４３】
図１１は、本実施形態に係るセルサーチ手順を示すフローチャートである。自局レベルの低下により、セルサーチが起動し（ステップＳ１１０１）、移行判定基準を満たすセクタへゾーン移行する（ステップＳ１１０３）。次に、ゾーン移行先の報知情報を検出して記憶装置に記憶する（ステップＳ１１０５）。そして、記憶装置に記憶されたゾーン移行前の周辺局スクランブルコードとゾーン移行後の周辺局スクランブルコードを比較し（ステップＳ１１０７）、ゾーン移行後に追加された周辺局スクランブルコードを選択して、ここで選択した周辺局スクランブルコードを次回のセルサーチ起動時に優先して使用するように、選択した周辺局スクランブルコードの使用優先順位を上げる（ステップＳ１１０９）。
【００４４】
このような処理を行なうことにより、次回のセルサーチ時には、これらのスクランブルコードを優先して使用することにより、高速移動時において、移行先セクタを短時間で検出することが可能となり、セルサーチ実行時間を低減できるため、待受時間を向上させることができる。
【００４５】
（第４実施形態）
図１２は、本発明の他の実施形態を具体的に説明するための図である。電源ＯＮ状態を維持したまま圏外地域を移動して、再び圏内に戻る時、戻り先の圏内地域は、ＣＤＭＡ方式の無線移動機内部に記憶されている周辺局のエリアとは限らない。例えば、地下街等で買い物をする場合には、無線基地局１２０１が存在するセルのセクタ＃ａに在圏していたＣＤＭＡ方式の無線移動機１２０５は、セクタ＃ａもしくはセクタ＃ａに隣接するセクタに戻るため、ＣＤＭＡ方式の無線移動機１２０５の内部に記憶されている周辺局スクランブルコードを使用してセルサーチを実行することにより、在圏セクタを検出できる。
【００４６】
次に、例えばセクタ＃ａに在圏しているＣＤＭＡ方式の無線移動機１２０７が、地下鉄等圏外状態の場所を長距離移動し、無線基地局１２０３が存在するセル内のセクタ＃ｂにおいて地上に出ることを考える。セクタ＃ｂが、セクタ＃ａ在圏時に受信している周辺局情報にないセクタである場合、ＣＤＭＡ方式の無線移動機内部に記憶されている周辺局スクランブルコードを使用してセルサーチを実行していると、セクタ＃ｂを検出できない。
【００４７】
この場合、圏外に存在していたＣＤＭＡ方式の無線移動機１２０７は、従来のセルサーチ、すなわち圏内に戻った時にＣＤＭＡ方式の無線移動機１２０７の内部に記憶されている周辺局スクランブルコードを使用しないセルサーチを行うことで、圏外から圏内に移動した際に、ＣＤＭＡ方式の無線移動機が圏内に存在していると認識することができる。
【００４８】
図１３は、本実施形態に係るセルサーチ手順を示すフローチャートである。ＣＰＩＣＨ逆拡散連続繰り返し回数をｌとし、ｌを初期化する（ステップＳ１３０１）。次に、ＣＤＭＡ方式の無線移動機は、Ｐ−ＳＣＨ信号を用いてスロットタイミングを検出する（ステップＳ１３０３）。続いて、スロットタイミングの検出を確認し（ステップＳ１３０５）、スロットタイミングの検出ができない場合、Ｐ−ＳＣＨ信号を用いてスロットタイミング検出動作を繰り返す。
【００４９】
一方、スロットタイミングを検出できた場合は、検出したスロットタイミングに基づいたすべてのフレームタイミングにおいて、周辺局スクランブルコードを使用して、ＣＰＩＣＨを逆拡散する（ステップＳ１３０７）。次に、キャリアの検出を確認して（ステップＳ１３０５）、キャリアが検出できた場合、報知情報を参照して処理を終了する（ステップＳ１３１１）。
【００５０】
キャリアが検出できなかった場合、ＣＰＩＣＨ逆拡散連続繰り返し回数ｌに1を加える（ステップＳ１３１３）。ＣＰＩＣＨ逆拡散連続繰り返し回数lとしきい値を比較し（ステップＳ１３１５）、ｌが所定の回数を超えた場合には、従来のセルサーチへ移行して、複数のスクランブルコードから成るスクランブルコードグループを特定するための拡散符号系列を選択して使用し、フレームタイミングの検出を行う（ステップＳ１３１７）。ＣＰＩＣＨ逆拡散連続繰り返し回数lが所定の回数を超えていない場合は、ステップＳ１３０７に戻り、ＣＰＩＣＨを用いてフレームタイミングの検出動作をＣＰＩＣＨ逆拡散連続繰り返し回数ｌが所定の回数を超えるまで繰り返す。
【００５１】
【発明の効果】
以上説明したように、本発明によれば、周辺局スクランブルコードを使用して共通パイロット信号を逆拡散し、フレームタイミングを検出する検出手段を備え、前記周辺局スクランブルコードは、無線基地局から送信される報知情報により報知されることを特徴とするので、ＣＤＭＡ方式の無線移動機が、フレームタイミング検出時に使用する拡散符号系列を、ＢＣＣＨ情報により報知された周辺局スクランブルコードとすることにより、コード逆拡散を行う頻度を減少させるという効果を有する。具体的には、従来の３段階セルサーチにおいて、コード逆拡散を行う回数は最大で
６４ × １５  ＋  ８  ＝  ９６８  （回）
である。一方、本発明におけるコード逆拡散を行う回数は、最大で
３２  ×  １５  =  ４８０  （回）
となる。
【００５２】
従って、待受時消費電流を低減させ、ＣＤＭＡ方式の無線移動機の待受時間向上を達成することが可能となる。
【図面の簡単な説明】
【図１】ＣＤＭＡ方式の無線移動機における従来のセルサーチ方法を示すフローチャートである。
【図２】従来のセルサーチの手順における検出過程を説明するための図で、（ａ）はセルサーチの第１段階、（ｂ）は第２段階、（ｃ）は第３段階について説明するための図である。
【図３】本発明の一実施形態に係るセルサーチ手順を示すフローチャートである。
【図４】本発明のセルサーチ手順における検出過程を説明するための図で、（ａ）はセルサーチの第１段階、（ｂ）は第２段階を説明するための図である。
【図５】本発明の一実施形態を具体的に説明するための図である。
【図６】本発明の一実施形態に係るセルサーチ手順を示すフローチャートである。
【図７】本発明の一実施形態を具体的に説明するための図である。
【図８】本発明の一実施形態に係るセルサーチの手順を示すフローチャートである。
【図９】本発明の一実施形態を具体的に説明するための図である。
【図１０】本発明の一実施形態に係るセルサーチにおいて行われるスクランブルコードの選択を説明するための図である。
【図１１】本発明の一実施形態に係るセルサーチ手順を示すフローチャートである。
【図１２】本発明の一実施形態を具体的に説明するための図である。
【図１３】本発明の一実施形態に係るセルサーチ手順を示すフローチャートである。
【符号の説明】
５０１、７０９、９０９、１２０５、１２０７  無線移動機
５０２、７０１、７０３、７０５、７０７、９０１、９０３、９０５、９０７、１２０１、１２０３  無線基地局
５０３  弱電界エリア
５０５  圏外
【図１】
0003813432.tif 000002
【図２】
0003813432.tif 000003
【図３】
0003813432.tif 000004
【図４】
0003813432.tif 000005
【図５】
0003813432.tif 000006
【図６】
0003813432.tif 000007
【図７】
0003813432.tif 000008
【図８】
0003813432.tif 000009
【図９】
0003813432.tif 000010
【図１０】
0003813432.tif 000011
【図１１】
0003813432.tif 000012
【図１２】
0003813432.tif 000013
【図１３】
0003813432.tif 000014